(57)【要約】【課題】  トラバース機構を支持する弾性部材の減衰量を大きくすることができ、しかも、光ピックアップ部と該光ピックアップ部の近傍の他の部品との間の間隔を比較的小さくすることができ、全体を小型化することができるようにする。【解決手段】  光ピックアップ部が搭載され、該光ピックアップ部をトラバース動作させるトラバース機構と、該トラバース機構を支持する支持体６と、該支持体６を静止部材７に装着する複数の弾性部材８と、該弾性部材８を静止部材７に取着する取着体１１とを備えており、取着体１１と支持体６との間にトラバース機構の弾性部材８による変位量を規制する規制体９を介装し、弾性部材８の減衰量を大きくすることができるようにした。  【選択図】        図３
2005085333.tif 000002
【特許請求の範囲】
【請求項１】
ディスクにデータの読み取り及び／又は書き込みを行う光ピックアップ部をトラバース動作させるトラバース機構が弾性部材を介して静止部材に装着されているディスク装置において、
前記トラバース機構の前記弾性部材による変位量を規制する規制体を備えていることを特徴とするディスク装置。
【請求項２】
前記トラバース機構を支持してあり、前記弾性部材の途中に係止された支持体と、
前記弾性部材を前記静止部材に取着した取着体とを備えており、
前記規制体は前記支持体と前記取着体との間に介装されている請求項１記載のディスク装置。
【請求項３】
前記規制体は前記取着体が挿入される貫通孔を有する板部及び該板部に突設され、前記支持体に当接することが可能な凸部を有する請求２記載のディスク装置。
【請求項４】
前記規制体は前記弾性部材よりも硬質である請求項１乃至３の何れか１つに記載のディスク装置。
【請求項５】
ディスクにデータの読み取り及び／又は書き込みを行う光ピックアップ部をトラバース動作させるトラバース機構が筒体からなる弾性部材を介して静止部材に装着されているディスク装置において、
前記静止部材は前記弾性部材が外嵌された嵌合突起を有しており、
前記トラバース機構を支持してあり、前記弾性部材の途中に係止された支持体と、
前記嵌合突起に螺着され、前記弾性部材を取着した取着体と、
前記弾性部材及び前記取着体の間に介装された板部と、該板部に突設され、前記支持体に当接することが可能な凸部とを有し、前記トラバース機構の前記弾性部材による変位量を規制する規制体
とを備えていることを特徴とするディスク装置。
【発明の詳細な説明】
【技術分野】
【０００１】
本発明はコンパクトディスク（ＣＤ）、デジタルバーサタイルディスク（ＤＶＤ）、ミニディスク（ＭＤ）等のディスク装置に関する。
【背景技術】
【０００２】
昨今のＣＤ、ＤＶＤ等の記録再生が可能なディスク装置においては、通常の回転数よりも高速でデータを読み取ったり、データを書き込んだりすることが多くなってきている。
【０００３】
特にＤＶＤのディスク装置は、ＣＤのディスク装置に比べて６倍以上の記録容量を有するため、データの読み取り、書き込みは従来以上に厳しい条件下で行われることになる。
【０００４】
ディスクに記録されたデータの読み取り、書き込みは、光ピックアップ部により行なうが、一般的に光ピックアップ部に加わる衝撃、振動などの外乱を抑えることにより、読み取られる信号及び書き込まれる信号の品質が向上する。
【０００５】
図５は従来のディスク装置の構成を示す平面図、図６は図５のVI−VI線の拡大断面図、図７は従来のディスク装置の一部を拡大した断面図である。
【０００６】
ディスク装置は特開平４−６１０５９号公報に記載されているように公知である（特許文献１。）。
【０００７】
図５乃至図７に示したディスク装置はディスク誘導機構により誘導されたディスクＡを保持するターンテーブル１００を有する電動モータ１０１と、前記ディスクＡの表面にデータの読み取り及び／又は書き込みを行う光ピックアップ部１０２と、該光ピックアップ部１０２をディスクの半径方向にトラバース動作させるトラバース機構１０３と、該トラバース機構１０３を２本の案内軸１０４，１０４を介してトラバース動作可能に支持し、さらにモータ取着板１０５を介して前記電動モータ１０１を支持する支持体１０６と、該支持体１０６の４箇所を静止部材１０７に弾性的に支持する４個の弾性部材１０８とを備えており、電動モータ１０１の駆動によりターンテーブル１００と一体になってディスクＡを回転させるように構成されている。２本の案内軸１０４，１０４の両端部は小ねじ１０９により支持体１０６に固定されている。
【０００８】
支持体１０６は衝撃、振動などの外乱から影響されないように４箇所がゴム製の弾性部材１０８を介して取着ねじ１１０により静止部材１０７に固定されている。弾性部材１０８は、ディスク装置に加わった落下衝撃、振動などの外乱を減衰させ、この外乱を光ピックアップ部１０２に伝え難くしている。また、弾性部材１０８は前記外乱を減衰するだけでなく、ディスクＡが回転したとき、該ディスクＡの偏重心などにより発生する振動を静止部材１０７に伝え難くする効果もある。
【特許文献１】特開平４−６１０５９号公報
【発明の開示】
【発明が解決しようとする課題】
【０００９】
ところで、光ピックアップ部１０２を支持する弾性部材１０８は減衰量を大きくした場合、ディスク装置に加わった落下衝撃、振動などの外乱を減衰させ、この外乱を光ピックアップ部１０２に伝え難くすることができる。しかしながら、弾性部材１０８の減衰量が大きくなることにより、光ピックアップ部１０２の許容変位量が多くなり、該光ピックアップ部１０２が近傍の他の部品と接触することになるため、光ピックアップ部１０２と該光ピックアップ部１０２の近傍の他の部品との間の間隔を比較的大きくする必要があり、ディスク装置全体を小型化することができない。
【００１０】
また、弾性部材１０８は減衰量を小さくした場合、光ピックアップ部１０２の許容変位量が少なくなり、該光ピックアップ部１０２と光ピックアップ部１０２の近傍の他の部品との間の間隔を比較的小さくすることができるため、ディスク装置全体を小型化することができる。しかしながら、弾性部材１０８の減衰量が小さくなることにより、ディスク装置に加わった落下衝撃、振動などの外乱が光ピックアップ部１０２に伝わり易くなり、また、ディスク装置を通常に使用しているときに発生し得るディスクＡの振動が静止部材に伝わり易くなると言う問題がある。
【００１１】
本発明は斯かる事情に鑑みてなされたものであり、主たる目的はトラバース機構の弾性部材による変位量を規制する規制体を設けたことにより、弾性部材の減衰量を大きくすることができるとともに、光ピックアップ部と該光ピックアップ部の近傍の他の部品との間の間隔を比較的小さくすることができ、全体を小型化することができるディスク装置を提供することである。
【００１２】
また、他の目的はトラバース機構を搭載し、弾性部材の途中に係止された支持体と、弾性部材を静止部材に取着した取着体とを備え、支持体及び取着体の間に規制体を介装したことにより、複数の弾性部材に対応して規制体を設ける場合においても、規制体を簡易に組み込むことができるディスク装置を提供することである。
【００１３】
また、他の目的は取着体が挿入される貫通孔を有する板部及び該板部に突設された凸部を有する規制体とすることにより、複数の弾性部材に対応して規制体を設ける場合においても、規制体をより一層簡易に組み込むことができるディスク装置を提供することである。
【００１４】
また、他の目的は規制体が弾性部材よりも硬質である構成としたことにより、ディスク装置に加わった落下衝撃、振動などの外乱により規制体が変形するのを防ぐことができ、光ピックアップ部及びトラバース機構の許容変位量を維持することができるディスク装置を提供することである。
【００１５】
また、他の目的は弾性部材が外嵌された嵌合突起を静止部材に設け、トラバース機構を支持し弾性部材の途中に係止された支持体と、嵌合突起に螺着され弾性部材を取着した取着体と、板部及び該板部に突設された凸部を有し、トラバース機構の弾性部材による変位量を規制する規制体とを備える構成としたことにより、弾性部材の減衰量を大きくすることができるとともに、光ピックアップ部と該光ピックアップ部の近傍の他の部品との間の間隔を比較的小さくすることができ、全体を小型化することができるディスク装置を提供することである。
【課題を解決するための手段】
【００１６】
本発明に係るディスク装置は、ディスクにデータの読み取り及び／又は書き込みを行う光ピックアップ部をトラバース動作させるトラバース機構が弾性部材を介して静止部材に装着されているディスク装置において、前記トラバース機構の前記弾性部材による変位量を規制する規制体を備えていることを特徴とする。
【００１７】
この発明にあっては、トラバース機構の弾性部材による変位量を規制体により規制することができるため、弾性部材の減衰量を大きくしてディスク装置に加わった落下衝撃、振動などの外乱を光ピックアップ部に伝え難くすることができるとともに、ディスク装置を通常に使用しているときに発生し得るディスクの振動を静止部材に伝わり難くすることができる。しかも、光ピックアップ部及びトラバース機構の許容変位量を規制体により規制することができるため、光ピックアップ部と該光ピックアップ部の近傍の他の部品との間の間隔を比較的小さくすることができ、ディスク装置全体を小型化することができる。
【００１８】
また、本発明に係るディスク装置は、前記トラバース機構を支持してあり、前記弾性部材の途中に係止された支持体と、前記弾性部材を前記静止部材に取着した取着体とを備えており、前記規制体は前記支持体と前記取着体との間に介装されていることを特徴とする。
【００１９】
この発明にあっては、弾性部材を静止部材に取着する取着体により規制体を組み込むことができるため、複数の弾性部材に対応して規制体を設ける場合においても、規制体を簡易に組み込むことができる。
【００２０】
また、本発明に係るディスク装置は、前記規制体は前記取着体が挿入される貫通孔を有する板部及び該板部に突設され、前記支持体に当接することが可能な凸部を有することを特徴とする。
【００２１】
この発明にあっては、取着体が弾性部材を取着するとき、規制体の板部を弾性部材の一端に載せた状態で取着体を前記板部の貫通孔に挿入することにより規制体を組み込むことができるため、複数の弾性部材に対応して規制体を設ける場合においても、規制体をより一層簡易に組み込むことができる。
【００２２】
また、本発明に係るディスク装置は、前記規制体は前記弾性部材よりも硬質であることを特徴とする。
【００２３】
この発明にあっては、ディスク装置に加わった落下衝撃、振動などの外乱により規制体が変形するのを防ぐことができ、光ピックアップ部及びトラバース機構の許容変位量を維持することができる。
【００２４】
また、本発明に係るディスク装置は、ディスクにデータの読み取り及び／又は書き込みを行う光ピックアップ部をトラバース動作させるトラバース機構が筒体からなる弾性部材を介して静止部材に装着されているディスク装置において、前記静止部材は前記弾性部材が外嵌された嵌合突起を有しており、前記トラバース機構を支持してあり前記弾性部材の途中に係止された支持体と、前記嵌合突起に螺着され、前記弾性部材を取着した取着体と、前記弾性部材及び前記取着体の間に介装された板部と、該板部に突設され、前記支持体に当接することが可能な凸部とを有し、前記トラバース機構の前記弾性部材による変位量を規制する規制体とを備えていることを特徴とする。
【００２５】
この発明にあっては、弾性部材の減衰量を大きくしてディスク装置に加わった落下衝撃、振動などの外乱を光ピックアップ部に伝え難くすることができるとともに、ディスク装置を通常に使用しているときに発生し得るディスクの振動を静止部材に伝わり難くすることができる。しかも、光ピックアップ部及びトラバース機構の許容変位量を規制体により規制することができるため、光ピックアップ部と該光ピックアップ部の近傍の他の部品との間の間隔を比較的小さくすることができ、ディスク装置全体を小型化することができる。また、弾性部材を嵌合突起に外嵌し、取着体を嵌合突起に螺着するとき、弾性部材及び取着体の間に規制体を介装することにより該規制体を組み込むことができるため、複数の弾性部材に対応して規制体を設ける場合においても、規制体をより一層簡易に組み込むことができる。
【発明の効果】
【００２６】
本発明によれば、弾性部材の減衰量を大きくしてディスク装置に加わった落下衝撃、振動などの外乱を光ピックアップ部に伝え難くすることができ、さらに、ディスク装置を通常に使用しているときに発生し得るディスクの振動を静止部材に伝わり難くすることができる。しかも、光ピックアップ部と該光ピックアップ部の近傍の他の部品との間の間隔を比較的小さくすることができ、ディスク装置全体を小型化することができる。
【００２７】
また、本発明によれば、複数の弾性部材に対応して規制体を設ける場合においても、規制体を簡易に組み込むことができる。
【００２８】
また、本発明によれば、複数の弾性部材に対応して規制体を設ける場合においても、規制体をより一層簡易に組み込むことができる。
【００２９】
また、本発明によれば、ディスク装置に加わった落下衝撃、振動などの外乱により規制体が変形するのを防ぐことができ、光ピックアップ部及びトラバース機構の許容変位量を維持することができる。
【発明を実施するための最良の形態】
【００３０】
以下本発明をその実施の形態を示す図面に基づいて詳述する。図１は本発明に係るディスク装置の構成を示す平面図、図２は図１のII−II線の拡大断面図、図３は要部の構成を示す拡大断面図、図４は規制体の構成を示すもので、(a) は平面図、(b) は断面図である。
【００３１】
このディスク装置はディスク誘導機構により誘導されたディスクＡを保持するターンテーブ１ａを有する電動モータ１と、ディスクＡの表面にデータの読み取り及び／又は書き込みを行う光ピックアップ部２と、該光ピックアップ部２をディスクＡの半径方向にトラバース動作させるトラバース機構３と、該トラバース機構３を２本の案内軸４，４を介してトラバース動作可能に搭載し、さらにモータ取着板５を介して電動モータ１を支持する支持体６と、該支持体６の４箇所を静止部材７に弾性的に装着する４個の弾性部材８と、トラバース機構３の弾性部材８による変位量を規制する４個の規制体９とを備えている。
【００３２】
光ピックアップ部２は書き込むべきデータに対応して変調された光ビームを対物レンズに通し、小サイズの光スポットに集光してディスクＡ表面に形成されたトラック上に投射し、該トラック上に反転磁区である記録マークを形成することで書き込みを行い、また、このディスクＡ表面からの反射光を対物レンズで集光して取り出し、これをデータに変換処理することで読み取りを行っており、トラバース機構３に搭載されている。
【００３３】
２本の案内軸４，４は両端部が小ねじ１０，１０により支持体６に固定されている。
【００３４】
静止部材７は中心部に四角形の孔を有する直方体形状の枠体からなり、孔の四角部に円筒形の嵌合突起７ａを有する台座７ｂが夫々設けられている。各嵌合突起７ａにはねじ孔７ｃが穿設されており、該ねじ孔７ｃに小ねじからなる取着体１１が螺着されている。この取着体１１はねじ部１１ａと、該ねじ部１１ａよりも大径の頭部１１ｂとを有しており、該頭部１１ｂの中心部の回転操作部１１ｃが設けられている。
【００３５】
支持体６は静止部材７の孔に対応する大きさの略矩形の板からなり、四角部に貫通孔６ａを有する被取着部６ｂが設けられている。この被取着部６ｂと取着体１１の頭部１１ｂとの間の隙間Ｈ１は弾性部材８により規定されている。
【００３６】
弾性部材８は静止部材７と該静止部材７に取着される取着体１１との間に介装され、途中に被取着部６ｂが係止されたゴム製の筒体からなり、嵌合突起７ａに外嵌され、台座７ｂと取着体１１の頭部１１ｂとの間に介装されている。弾性部材８の外周部（長手方向途中）には環状の嵌合溝８ａが設けられており、該嵌合溝８ａに支持体６の被取着部６ｂが内嵌されている。また、弾性部材８の両端には環状溝８ｂ，８ｂが設けられており、該環状溝８ｂ，８ｂよりも外周部８ｃ，８ｃを短い長さとし、一端外周部８ｃと取着体１１の頭部１１ｂとの間に規制体９が介装されている。弾性部材８は可撓性を有するため、輸送時などによりディスク装置に落下衝撃が加わると支持体６は揺すられて上下に移動する。この支持体６の移動量は弾性部材８の減衰量により異なるが、この減衰量はディスク装置を通常に使用している場合に発生し得るディスクＡによる振動を静止部材７に伝えないように、また、支持体６がディスクＡによる振動で共振しないように設計されている。また、弾性部材８は近年のディスク高速回転対応のため、一般的に減衰量を大きくする傾向にある。このため、落下衝撃などによる支持体６の移動量は大きくなってしまうが、本発明では規制体９を設けて支持体６の移動量が大きくならないようにしてある。
【００３７】
この規制体９は取着体１１のねじ部１１ａ及び弾性部材８の両端内周部８ｄ，８ｄが挿入される貫通孔９ａを有する円板状の板部９ｂ及び該板部９ｂの外周部に突設された筒状の凸部９ｃを有する椀形に形成されており、板部９ｂが取着体１１の頭部１１ｂと弾性部材８の一端外周部８ｃとの間に介装され、凸部９ｃが弾性部材８の一端部周りに配置され、落下衝撃などによる支持体６の移動量が（隙間Ｈ１−規制体の長さＨ２）以上になったとき、被取着部６ｂが凸部９ｃに当接し、支持体６の移動量を制限し、該支持体６が支持しているトラバース機構３、ひいてはトラバース機構３に搭載されている光ピックアップ部２の変位量を規制するように構成されている。また、規制体９は弾性部材８よりも硬質の例えば金属材料により形成されており、弾性部材８の減衰量を確実に規制することができるようにしてある。
【００３８】
以上のように構成されたディスク装置は支持体６が支持しているトラバース機構３の弾性部材８による変位量を規制する規制体９が設けられているため、弾性部材８の減衰量を大きくすることができる。従って、ディスク装置に加わった落下衝撃、振動などの外乱を弾性部材８により減衰することができ、この弾性部材８の減衰量が増加するとき、支持体６の被取着部６ｂが規制体９の凸部９ｃ先端に当接し、弾性部材８の減衰量を規制することができ、前記外乱を光ピックアップ部２に伝え難くすることができる。しかも、前記外乱を光ピックアップ部２に伝え難いため、光ピックアップ部２と該光ピックアップ部２の近傍の他の部品との間の間隔を比較的小さくすることができ、ディスク装置全体を小型化することができる。また、弾性部材８の減衰量を大きくすることができることにより、ディスク装置を通常に使用しているときに発生し得るディスクＡの振動を弾性部材８により減衰することができ、ディスクＡの振動を静止部材７に伝わり難くすることができる。
【００３９】
また、以上のように構成されたディスク装置は、支持体６の被取着部６ｂに弾性部材８の嵌合溝８ａ部を外嵌した状態で弾性部材８を静止部材７の嵌合突起７ａに外嵌することにより支持体６を静止部材７に弾性的に支持することができ、取着体１１のねじ部１１ａを嵌合突起７ａのねじ孔７ｃに螺着することにより弾性部材８を固定することができる。この場合、取着体１１を取着する作業の前に規制体９の板部９ｂを弾性部材８の一端外周部８ｃに載せ、この状態で取着体１１を嵌合突起７ａに取着することにより規制体９を組み込むことができるため、４つの弾性部材８に対応して規制体９を設けているに拘らず規制体９を簡易に組み込むことができる。
【００４０】
尚、以上説明した実施の形態では支持体６が４個の弾性部材８により取着された構成としたが、弾性部材の個数は特に制限されるものでなく、複数個であればよい。
【００４１】
また、以上説明した実施の形態では規制体９を弾性部材８と別個に設けたが、その他、規制体９は弾性部材８、取着体１１の頭部１１ｂ、支持体６の被取着部６ｂの何れかに結合された構成としてもよい。
【００４２】
また、本発明のディスク装置は光ディスク装置に制限されるものでない。
【図面の簡単な説明】
【００４３】
【図１】本発明に係るディスク装置の構成を示す平面図である。
【図２】図１のII−II線の拡大断面図である。
【図３】本発明に係るディスク装置の要部の構成を示す拡大断面図である。
【図４】本発明に係るディスク装置の規制体の構成を示すもので、(a) は平面図、(b) は断面図である。
【図５】従来のディスク装置の構成を示す平面図である。
【図６】図５のVI−VI線の拡大断面図である。
【図７】従来のディスク装置の一部を拡大した断面図である。
【符号の説明】
【００４４】
２  光ピックアップ部
６  支持体
７  静止部材
７ａ  嵌合突起
８  弾性部材
９  規制体
９ｂ  板部
９ｃ  凸部
１１  取着体
【図１】
2005085333.tif 000003
【図２】
2005085333.tif 000004
【図３】
2005085333.tif 000005
【図４】
2005085333.tif 000006
【図５】
2005085333.tif 000007
【図６】
2005085333.tif 000008
【図７】
2005085333.tif 000009